(57)【特許請求の範囲】
【請求項１】
上映館内の基準地点から特定の地点を眺める角度値を生成するステップと、
前記角度値に基づいて上映館の可視領域を表現するステップと、
複数の上映館の可視領域情報に基づいて、標準可視領域を表現するステップと、
を含むことを特徴とする上映館の可視領域を表現する方法。
【請求項２】
前記角度値を生成するステップは、
前記上映館内の基準地点から水平方向に特定の地点を眺める第１の角度値を生成するステップと、
前記上映館内の基準地点から垂直方向に特定の地点を眺める第２の角度値を生成するステップと、
を含むことを特徴とする請求項１に記載の上映館の可視領域を表現する方法
【請求項３】
前記第１の角度値は、−１８０°〜１８０°の範囲に属する値であり、
前記第２の角度値は、−９０°〜９０°の範囲に属する値であることを特徴とする請求項２に記載の上映館の可視領域を表現する方法。
【請求項４】
前記上映館の可視領域を表現するステップは、
前記第１の角度値および前記第２の角度値を変数とする座標系上に前記可視領域を表現することを特徴とする請求項２に記載の上映館の可視領域を表現する方法。
【請求項５】
前記標準可視領域は、
前記複数の上映館の全てにおいて常に視認される領域と、
前記複数の上映館の全てにおいて常に視認されない領域と、
前記複数の上映館の一部においてしか視認されない領域と、
を備えることを特徴とする請求項１に記載の上映館の可視領域を表現する方法。
【請求項６】
前記複数の上映館の可視領域情報から算出された標準可視領域情報に基づいて、標準コンテンツの製作に活用される標準ガイドイメージを生成するステップをさらに含むことを特徴とする請求項１に記載の上映館の可視領域を表現する方法。
【請求項７】
前記上映館は、複数の投射面を備える上映館であることを特徴とする請求項１に記載の上映館の可視領域を表現する方法。
【請求項８】
上映館の情報を管理する上映館情報の管理装置であって、
上映館内の基準地点から特定の地点を眺める角度値に基づいて、上映館の可視領域情報を生成する可視領域管理部を備え、
前記可視領域管理部は、
複数の上映館の可視領域情報に基づいて、標準可視領域を表現する標準可視領域情報を生成することを特徴とする上映館情報の管理装置。
【請求項９】
前記可視領域管理部は、
上映館内の基準地点から水平方向に特定の地点を眺める第１の角度値と、
上映館内の基準地点から垂直方向に特定の地点を眺める第２の角度値と、
を生成することを特徴とする請求項８に記載の上映館情報の管理装置。
【請求項１０】
前記可視領域管理部は、
前記第１の角度値および前記第２の角度値を変数とする座標系上に可視領域を表現することを特徴とする請求項９に記載の上映館情報の管理装置。
【請求項１１】
前記標準可視領域は、
前記複数の上映館の全てにおいて常に視認される領域と、
前記複数の上映館の全てにおいて常に視認されない領域と、
前記複数の上映館の一部においてしか視認されない領域と、
を備えることを特徴とする請求項８に記載の上映館情報の管理装置。
【請求項１２】
前記標準可視領域情報に基づいて、標準コンテンツの製作に活用される標準ガイドイメージを生成する標準ガイドイメージ生成部をさらに備えることを特徴とする請求項８に記載の上映館情報の管理装置。
【発明の詳細な説明】
【技術分野】
【０００１】
本発明は、上映館の可視領域を表現する方法およびこれを用いた上映館情報の管理装置に関し、より詳しくは、上映館内の基準地点から特定の地点を眺める角度値に基づいて、上映館の可視領域を表現する方法およびこれを用いた上映館情報の管理装置に関する。
【背景技術】
【０００２】
観客に新たな立体感および没入感を与えるために、単一のスクリーンに基づく伝統的な上映システムとは異なる、いわゆる「多面上映システム」が提案されている。
【０００３】
「多面上映システム」とは、観客席の周り（正面、左側面、右側面、天井、床面など）に複数の投射面を配置して、映像それ自体に３次元（３Ｄ）技術を適用しなくても、観客に立体感および没入感のある映像を与える技術である。
【０００４】
このような多面上映システムは、観客席を基準として様々な方向に複数の投射面が配置されるため、各上映館の条件に応じて異なる構造に構築される。具体的に、各上映館の条件に応じて各上映館に配置された複数の投射面の配置角度、面積などが異なるがあるが、これにより、各上映館の可視領域（即ち、観客が視覚的な情報を取得する領域）が異なる。
【０００５】
このため、多面上映システムが構築された各上映館の映像コンテンツを生成する過程において、各上映館の可視領域情報が考慮されなければならず、多面上映システムが構築された全ての上映館において再生される「標準映像コンテンツ」を生成する過程においても、全ての上映館の可視領域情報が考慮されなければならない。
【０００６】
したがって、各上映館の可視領域情報を管理する技術が必要であるが、単一の投射面に基づく従来のシステムにおいては、このような技術が存在しなかった。
以上の理由から、各上映館の可視領域情報を管理し且つ活用する技術の開発が望まれる。
【０００７】
本発明は、上述した技術的ニーズを満たすことはもとより、この技術分野において通常の知識を有する者が容易に想到できないさらなる技術要素を提供するものである。したがって、本発明は、上述した技術的背景によって制限されるものではない。
【発明の概要】
【発明が解決しようとする課題】
【０００８】
本発明は、上記従来技術に鑑みてなされたものであって、本発明の目的は、上映館の可視領域情報を管理し且つ活用するための上映館の可視領域を表現する方法およびこれを用いた上映館情報の管理装置を提供することにある。
また、上映館内の基準地点に対する角度値を用いた、上映館の可視領域を表現する方法およびこれを用いた上映館情報の管理装置を提供することにある。
【課題を解決するための手段】
【０００９】
上記目的を達成するためになされた本発明の一態様による上映館の可視領域を表現する方法は、上映館内の基準地点から特定の地点を眺める角度値を生成するステップと、前記角度値に基づいて上映館の可視領域を表現するステップと、を含むことを特徴とする。
【００１０】
前記角度値を生成するステップは、上映館内の基準地点から水平方向に特定の地点を眺める第１の角度値を生成するステップと、上映館内の基準地点から垂直方向に特定の地点を眺める第２の角度値を生成するステップと、を含むことが好ましい。
前記第１の角度値は、−１８０°〜１８０°の範囲に属する値であり、前記第２の角度値は、−９０°〜９０°の範囲に属する値であることが好ましい。
前記上映館の可視領域を表現するステップは、前記第１の角度値および前記第２の角度値を変数とする座標系上に前記可視領域を表現することが好ましい。
また、本実施形態による上映館の可視領域を表現する方法は、複数の上映館の可視領域情報に基づいて、標準可視領域を表現するステップをさらに含むことが好ましい。
前記標準可視領域は、前記複数の上映館の全てにおいて常に視認される領域と、前記複数の上映館の全てにおいて常に視認されない領域と、前記複数の上映館の一部においてしか視認されない領域と、を備えることが好ましい。
また、本発明の一実施形態による上映館の可視領域を表現する方法は、前記標準可視領域情報に基づいて、標準コンテンツの製作に活用される標準ガイドイメージを生成するステップをさらに含むことが好ましい。
さらに、本発明の一実施形態による上映館の可視領域を表現する方法は、前記上映館が、複数の投射面を備える上映館であることが好ましい。
【００１１】
また、本発明の一実施形態による上映館の可視領域を表現する方法は、当該方法を実行させるためのプログラムとして、コンピュータ読み取り可能な記録媒体に格納されることが好ましい。
【００１２】
上記目的を達成するためになされた本発明の一態様による上映館情報の管理装置は、上映館内の基準地点から特定の地点を眺める角度値に基づいて、上映館の可視領域情報を生成する可視領域管理部を備えることを特徴とする。
【００１３】
前記可視領域管理部は、上映館内の基準地点から水平方向に特定の地点を眺める第１の角度値と、上映館内の基準地点から垂直方向に特定の地点を眺める第２の角度値と、を生成することが好ましい。
前記可視領域管理部は、前記第１の角度値および前記第２の角度値を変数とする座標系上に可視領域を表現することが好ましい。
また、前記可視領域管理部は、複数の上映館に関する可視領域情報に基づいて、標準可視領域情報を生成することが好ましい。
前記標準可視領域は、前記複数の上映館の全てにおいて常に視認される領域と、前記複数の上映館の全てにおいて常に視認されない領域と、前記複数の上映館の一部においてしか視認されない領域と、を備えることが好ましい。
また、本実施形態による上映館情報の管理装置は、前記標準可視領域情報に基づいて、標準コンテンツの製作に活用される標準ガイドイメージを生成する標準ガイドイメージ生成部をさらに備えることが好ましい。
【発明の効果】
【００１４】
本発明によれば、上映館の可視領域情報をパラメータ化して管理することができる。具体的に、各上映館の可視領域情報を「基準地点に対する角度値」というパラメータを用いて管理するので、可視領域情報をデータベース（ＤＢ）化して管理することができ、様々な演算過程において活用することができる。
【００１５】
また、本発明によれば、上映館の可視領域情報を視覚化して表現することができる。具体的に、基準地点に対する水平角度および垂直角度という２種類のパラメータを用いて可視領域に関する情報を算出し、算出された情報をこれらの２種類のパラメータを独立変数とする座標系の上に表現することができる。したがって、このような過程を経て上映館の可視領域情報を視覚化して管理することができる。
【００１６】
さらに、本発明によれば、複数の上映館の可視領域情報を組み合わせて標準可視領域情報を算出することができる。したがって、このような標準可視領域情報を用いて、複数の上映館の可視領域情報を一括して管理することができる。
【００１７】
さらにまた、本発明によれば、標準可視領域情報を用いて、標準コンテンツの製作に活用される標準ガイドイメージを生成することができる。具体的に、標準可視領域情報を用いて、複数の上映館を全て収容する標準ガイドイメージを生成することができ、このような標準ガイドイメージに基づいて、複数の上映館の全てにおいて再生される標準コンテンツを生成することができる。
【図面の簡単な説明】
【００１８】
【図１】本発明の一実施形態による上映館の可視領域を表現する方法を示すフローチャートである。
【図２】上映館内の基準地点から水平方向に特定の地点を眺める第１の角度値および垂直方向に特定の地点を眺める第２の角度値を示す概念図である。
【図３】第１の角度値および第２の角度値の例を示す図である。
【図４】第１の角度値および第２の角度値の例を示す図である。
【図５】第１の角度値および第２の角度値を算出する方法の例を示す図である。
【図６】第１の角度値および第２の角度値を変数とする座標系上に上映館の可視領域を表現する例を示す図である。
【図７】複数の上映館の可視領域情報に基づいて生成される標準可視領域情報の例を示す概念図である。
【図８】本発明の一実施形態による上映館情報の管理装置の構成を示す構成図である。
【図９】本発明の一実施形態による上映館情報の管理装置が複数の上映館と連動された例を示す図である。
【発明を実施するための形態】
【００１９】
以下、本発明を実施するための形態の具体例による、上映館の可視領域を表現する方法およびこれを用いた上映館情報の管理装置を、図面を参照しながら詳細に説明する。ここで説明する実施形態は、本発明の技術的思想を当業者が容易に理解するために提供するものであり、これらによって本発明が限定されるものではない。なお、図面に示す事項は、本発明の実施形態を容易に説明するために図式化したものであり、実際に具現される形態とは異なることもある。
【００２０】
一方、以下に示す各構成要素は、本発明を具現するための一例に過ぎない。よって、本発明の他の具現例において、本発明の技術的思想および技術範囲を逸脱しない範囲内で他の構成要素が使用可能である。また、各構成要素は、単にハードウェアまたはソフトウェアの構成により具現されてもよいが、同じ機能を行う様々なハードウェアおよびソフトウェアの組み合わせにより具現されてもよい。
【００２１】
また、ある構成要素を「備える」という表現は、「開放型」の表現であり、単に当該構成要素が存在することを示すものに過ぎず、追加的な構成要素を排除するものではない。
【００２２】
さらに、第１の、第２の、などの序数を含む用語は、様々な構成要素を説明するのに使用可能であるが、これらの用語は、ある構成要素を他の構成要素から区別するためにのみ使用し、これらの構成要素の属性はこれらの用語により限定されない。
【００２３】
後述する本発明の一実施形態による上映館の可視領域を表現する方法は、好ましくは、多面上映システムが構築された上映館の可視領域を表現するのに活用されるが、これに限定されない。すなわち、本実施形態による上映館の可視領域を表現する方法は、複数の投射面が設けられていない伝統的な上映館（正面の単一の投射面のみを備える上映館）にも活用され、可視領域を備えている様々な上映館にも活用される。
【００２４】
参考までに、本明細書に記載の「多面上映システム」は、複数の投射面を備える上映システムを意味する。具体的に、観客席の周りに複数の投射面（スクリーン、壁面、設置物の表面など種々の形で実現される）を配置し、これら複数の投射面の上に映像を投射して、観客に立体感および没入感のある上映環境を与えるシステムを意味する。
【００２５】
ここで、複数の投射面は、スクリーン、壁面、床面、天井、設置物の表面など様々な形で具現される。このため、多面上映システムは、１）正面のスクリーン、左側壁面、右側壁面を投射面として活用するシステム、２）正面のスクリーン、左側壁面、右側壁面、床面を投射面として活用するシステム、３）正面の壁面、左側壁面、右側壁面、床面、天井面を投射面として活用するシステムなど様々な形で具現される。なお、ここで紹介したシステムは単なる例示に過ぎず、多面上映システムは様々な投射面を用いて様々な形で具現される。
【００２６】
また、後述する本発明の一実施形態による上映館の可視領域を表現する方法は、複数の上映館の可視領域情報を一括して管理するのに活用されることが好ましいが、単一の上映館の可視領域情報を管理する過程においても活用される。
【００２７】
さらに、本発明で用いられる「可視領域」とは、観客が視覚的な情報を取得する領域を意味し、好ましくは、上映館内で映像が投射される領域を意味する。
また、後述する本発明の一実施形態による上映館の可視領域を表現する方法は、様々なハードウェアおよびソフトウェアの連動動作により具現される。例えば、本発明の一実施形態による上映館の可視領域を表現する方法は、一つ以上のサーバ装置の演算動作により具現され、一つ以上のサーバ装置と様々な測定装置（センシング装置、距離測定装置など）との連動動作により具現される。
【００２８】
さらにまた、後述する本発明の一実施形態による上映館の可視領域を表現する方法は、当該方法を実行させるためにプログラム化されて、コンピュータ読み取り可能な記録媒体に格納される。
【００２９】
以下、図１〜図７を参照して、本発明の一実施形態による上映館の可視領域を表現する方法について説明する。
【００３０】
図１を参照すると、本発明の一実施形態による上映館の可視領域を表現する方法は、上映館内の基準地点から特定の地点を眺める角度値を生成するステップ（ステップＳ１１）と、この角度値に基づいて、上映館の可視領域を表現するステップ（ステップＳ１２）と、を含む。
【００３１】
ステップＳ１１で、上映館内の基準地点から特定の地点を眺める角度値が生成される。
【００３２】
ここで、基準地点は、角度値の算出の基礎となる基準点であり、予め設定された規則に従って様々に設定される。例えば、基準地点は、観客席の真ん中の地点、観客席の正面に配置された投射面の中心から所定の水平距離だけ離れた地点、上映館の構造面を基準として設定された地点（例えば、正面の壁面と背面の壁面との間の距離をＸ、左側壁面と右側壁面との間の距離をＹ、床面と天井との間の距離をＺとしたとき、正面から０．３＊Ｘ、左側壁面から０．５＊Ｙ、床面から０．３＊Ｚとなる地点）など、様々に設定される。この場合、基準地点は、好ましくは、データベース（ＤＢ）化された上映館の構造データに基づいて演算される。また、基準地点は、ユーザインタフェースを用いた入力に基づいて設定され、上映館内の構造を測定する測定装置との連動により設定される。
【００３３】
また、特定の地点は、上映館の可視領域に含まれる地点を意味する。特定の地点は、データベース（ＤＢ）化された上映館の構造データに基づいて導き出されるか、又は、上映館内の構造を測定する測定装置との連動により導き出される。さらに、特定の地点は、ユーザインタフェースを用いた入力に基づいて導き出される。
【００３４】
本発明は、基準地点から特定の地点を眺める角度値を生成して特定の地点を表現する。また、好ましくは、図２〜図４に示すように、基準地点から水平方向に特定の地点を眺める第１の角度値Ａおよび基準地点から垂直方向に特定の地点を眺める第２の角度値Ｂを生成して特定の地点を表現する。この場合、第１の角度値Ａは、−１８０°〜１８０°の範囲に属する値であることが好ましく、第２の角度値Ｂは、−９０°〜９０°の範囲に属する値であることが好ましい。このような範囲の角度値を用いれば、上映館内に形成される３次元上の可視領域の全てを表現することができる。また、第１の角度値Ａおよび第２の角度値Ｂは、様々な方式により算出されるが、好ましくは、距離情報に基づく演算により算出される。例えば、第１の角度値Ａおよび第２の角度値Ｂは、図５に示すように、基準地点と特定の地点との間の距離情報および第２コサイン（ｃｏｓｉｎｅ）法則を用いて算出する。参考までに、距離情報は、データベース（ＤＢ）化された上映館構造データに基づいて生成されるか、又は、測定装置によって生成される情報に基づいて生成される。
【００３５】
ステップＳ１１は、上映館の可視領域に含まれる複数の地点に対して行われることが好ましい。この場合、ステップＳ１１は、可視領域に含まれる全ての地点に対して行われるが、好ましくは、可視領域に含まれる一部のサンプリングされた地点に対して行われる。  また、サンプリングされた地点は、可視領域の外郭線内に含まれる地点であることが好ましい。これは、後述するステップＳ１２において可視領域を視覚化する場合、可視領域の外郭線に関する情報だけを用いて、十分に可視領域の全体が表現されるためである。
【００３６】
ステップＳ１２は、ステップＳ１１で生成した角度値に基づいて、上映館の可視領域を表現するステップである。具体的に、ステップＳ１２は、基準地点から可視領域に含まれる複数の地点を眺める角度値情報を用いて、上映館の可視領域を表現するステップである。この場合、可視領域は、視覚化されたグラフの形で表現されるが、好ましくは、第１の角度値および第２の角度値を変数とする座標系により視覚化される。
【００３７】
図６は、第１の角度値および第２の角度値を変数とする座標系上に上映館の可視領域を表現する例を示す図である。図６に示す実施形態では、上映館の可視領域に含まれる地点が、基準地点に対する水平角度値（第１の角度値Ａ）および垂直角度値（第２の角度値Ｂ）により表現され、これらの角度値に基づいて、第１の角度値および第２の角度値を変数とする座標系上に視覚化される。
【００３８】
上述のように、本発明は、ステップＳ１１およびステップＳ１２を通じて、特定の上映館の可視領域をパラメータ化し且つ視覚化して表現する。特に、本発明は、１）可視領域を特定し、可視領域の外側地点（ｏｕｔｅｒ  ｓｐｏｔｓ）をサンプリングして抽出する過程と、２）基準地点からサンプリングされた各地点を眺める角度値（第１の角度値および第２の角度値）を生成する過程と、３）生成された角度値を座標系（第１の角度値および第２の角度値を変数とする座標系）上に視覚化して表現する過程と、を経て特定の上映館の可視領域を表現する。
【００３９】
したがって、本発明は、ステップＳ１１およびステップＳ１２において、上映館内の領域を「可視領域」と「非可視領域」とに分けて管理する。ここで、「可視領域」は、上述したように、観客が視覚的な情報を取得する領域を意味し、好ましくは、上映館内において映像が投射される領域を意味する。また、「非可視領域」は、観客が視覚的な情報を取得できない領域を意味し、マスキング領域および投射装置が投射されない領域などが含まれる。
【００４０】
図１を参照すると、本発明の一実施形態による上映館の可視領域を表現する方法は、複数の上映館の可視領域情報に基づいて、標準可視領域を表現するステップ（ステップＳ１３）と、標準可視領域情報に基づいて、標準コンテンツの製作に活用される標準ガイドイメージを生成するステップ（ステップＳ１４）と、をさらに含む。
【００４１】
ステップＳ１１およびステップＳ１２が、各上映館別の可視領域情報を算出（即ち、ステップＳ１１およびステップＳ１２を各上映館に適用して、上映館１の可視領域、上映館２の可視領域、上映館３の可視領域などを算出する）する過程であるのに対し、ステップＳ１３およびステップＳ１４は、複数の上映館の可視領域情報を組み合わせて全体的な観点の情報を算出する過程である。
【００４２】
ステップＳ１３は、複数の上映館の可視領域情報を組み合わせて標準可視領域情報を算出するステップである。この場合、複数の上映館の可視領域情報は、第１の角度値Ａおよび第２の角度値Ｂを変数とする座標系上に表現される情報であることが好ましく、これらの情報を組み合わせて標準可視領域を座標系上に表現する。
【００４３】
図７は、複数の上映館の可視領域情報を組み合わせて生成される標準可視領域の例を示す概念図である。図７から明らかなように、標準可視領域は、好ましくは、３種類の領域に分けられ、具体的に、Ｘ領域、Ｙ領域、Ｚ領域に分けられる。ここで、Ｘ領域は、全ての上映館において常に視認されない領域（全ての上映館において常に非可視領域として分類される領域）を意味し、Ｙ領域は、一部の上映館においてしか視認されない領域（一部の上映館においては可視領域として分類され、残りの上映館においては非可視領域として分類される領域）を意味する。なお、Ｚ領域は、全ての上映館において常に視認される領域（全ての上映館において可視領域として分類される領域）を意味する。
【００４４】
本発明は、このような標準可視領域情報を用いて、複数の上映館の可視領域情報を一括して管理し、パラメータ化して管理する。また、複数の上映館の全てにおいて可視領域として分類される領域を明確に特定するため、複数の上映館の全てに適用される標準コンテンツの製作過程に活用される。
【００４５】
ステップＳ１４は、ステップＳ１３で生成された標準可視領域情報に基づいて、標準コンテンツの製作に活用される標準ガイドイメージを生成するステップである。
【００４６】
ここで、標準ガイドイメージとは、特定のコンテンツを標準コンテンツに変換する過程において参照されるイメージを意味する。このような標準ガイドイメージは、特定のコンテンツ（広告コンテンツ、映画コンテンツなど）を複数の上映館の全てにおいて再生される標準コンテンツに変換するための補正情報を含み、標準コンテンツへの変換過程において参照されることで映像が容易に補正できる。
【００４７】
本発明は、標準可視領域情報に基づいて、標準ガイドイメージを生成する。特に、複数の上映館の全てにおいて可視領域として分類される領域情報に基づいて、標準ガイドイメージの大きさ、解像度、データフォーマットなどを特定する。このため、標準ガイドイメージに基づいて変換されるコンテンツが標準コンテンツの条件（全ての上映館において再生されるコンテンツ）を満たす。
【００４８】
上述したように、本発明は、ステップＳ１３およびステップＳ１４において、複数の上映館の可視領域情報を一括して表現する標準可視領域情報を生成し、このような標準可視領域情報に基づいて、標準コンテンツの生成のための標準ガイドイメージを生成する。このため、本発明は、複数の上映館において再生される標準コンテンツを製作する過程において活用される。
【００４９】
以下、図８および図９を参照して、本発明の一実施形態による上映館情報の管理装置１００について説明する。
【００５０】
本発明の一実施形態による上映館情報の管理装置１００は、上述した上映館の可視領域を表現する方法を活用して上映館の情報を管理する装置である。したがって、上映館の可視領域を表現する方法に関して上述した特徴は、重複する記載を防ぐために詳細に説明しないが、本実施形態による上映館情報の管理装置１００に当然のことながら類推されて適用される。
【００５１】
図８を参照すると、本実施形態による上映館情報の管理装置１００は、上映館内の基準地点から特定の地点を眺める角度値に基づいて、上映館の可視領域を表現する可視領域管理部１１０と、可視領域管理部が生成する可視領域情報に基づいて標準コンテンツの製作に活用される標準ガイドイメージを生成する標準ガイドイメージ生成部１２０と、上映館情報の管理装置の動作過程で使用される様々なデータが格納されたデータベース部１３０と、情報の送信又は受信のための通信部１４０と、可視領域管理部、標準ガイドイメージ生成部、データベース部、および前記通信部を備える上映館情報の管理装置の動作を制御する制御部１５０と、を備える。
【００５２】
また、上映館情報の管理装置１００は、このような構成要素に加えて、ユーザから情報を受信するためのユーザインタフェース部、様々な情報を視覚的に表示するためのディスプレイ部などの構成要素をさらに備え、これらの構成要素もまた制御部１５０により制御される。
【００５３】
可視領域管理部１１０は、上映館内の基準地点から特定の地点を眺める角度値に基づいて、上映館の可視領域情報を生成する構成要素である。可視領域管理部１１０は、上記の上映館の可視領域を表現する方法のうちの可視領域の生成に関する様々な動作を行う。
【００５４】
例えば、可視領域管理部１１０は、各上映館の可視領域に含まれる地点に対して、上映館内の基準地点から水平方向に眺めた第１の角度値および上映館内の基準地点から垂直方向に眺めた第２の角度値を生成し、第１の角度値および第２の角度値を変数とする座標系上に各上映館の可視領域を表現する。参考までに、座標系上に表現された可視領域情報は、ディスプレイ部により視覚的に表示されるか、又は、通信部１４０を介して連動された様々な電子装置上に表示される。
【００５５】
また、可視領域管理部１１０は、複数の上映館に関する可視領域情報に基づいて、標準可視領域情報を生成する。ここで、標準可視領域情報は、全ての上映館において常に視認される領域情報、全ての上映館において常に視認されない領域情報、および一部の上映館においてしか視認されない領域情報を含む。
【００５６】
標準ガイドイメージ生成部１２０は、可視領域管理部１１０が生成する標準可視領域情報に基づいて、標準コンテンツの製作に活用される標準ガイドイメージを生成する構成要素である。このような標準ガイドイメージ生成部１２０は、上記の上映館の可視領域を表現する方法のうちの標準ガイドイメージの生成に関する様々な動作を行う。
【００５７】
データベース部１３０は、様々なデータを格納する構成要素であり、一つ以上のメモリ素子を備えるように構成される。
【００５８】
データベース部１３０は、上映館情報の管理装置１００の動作に関する様々な情報を格納する。例えば、データベース部１３０は、可視領域情報の生成に活用されるデータベース（ＤＢ）化された上映館の構造データを格納し、このような構造データを複数の上映館に対して各上映館別に区別して格納する。また、データベース部１３０は、複数の上映館の可視領域情報を各上映館の識別情報とマッチングさせた後に格納し、複数の上映館の可視領域情報に基づいて生成される標準可視領域情報を格納する。なお、データベース部１３０は、様々な映像コンテンツ（映画コンテンツ、広告コンテンツなど）、生成された標準ガイドイメージ、および生成された標準コンテンツなどの情報を格納する。
【００５９】
通信部１４０は、データを送信又は受信するための構成要素であり、有線通信装置又は無線通信装置をはじめとする様々な形で実現される。
【００６０】
通信部１４０は、ユーザ端末、各上映館のサーバ装置、各上映館に設けられる測定装置などをはじめとする様々な電子装置と有線または無線にて接続され、このような接続により、様々な情報を送受信する。
【００６１】
ユーザインタフェース部は、ユーザから様々な情報を受信するための構成要素であり、別設される入力装置との連動により具現されるか、又は、通信部１４０を介してユーザ端末との連動により具現される。
【００６２】
ユーザインタフェース部は、様々なグラフィックユーザインタフェース（ＧＵＩ：Ｇｒａｐｈｉｃ  Ｕｓｅｒ  Ｉｎｔｅｒｆａｃｅ）の形で具現され、各上映館の構造データなどをはじめとする様々な情報を受信する。
【００６３】
ディスプレイ部は、上映館情報の管理装置１００の動作に関する様々な情報を表示する構成要素である。ディスプレイ部は、各上映館の様々な可視領域を表示し、算出された標準可視領域又は標準ガイドイメージを表示する。また、ディスプレイ部は、生成された標準コンテンツ又はユーザインタフェース部のグラフィックユーザインタフェース（ＧＵＩ）を表示し、このような情報に加えて、上映館情報の管理装置１００の動作に関する様々な情報を表示する。
【００６４】
制御部１５０は、可視領域管理部１１０、標準ガイドイメージ生成部１２０、データベース部１３０、通信部１４０、ユーザインタフェース部、およびディスプレイ部を備える上映館情報の管理装置１００の様々な構成要素を制御する構成要素である。
【００６５】
制御部１５０は、少なくとも一つの演算素子を備える。ここで、演算素子は、汎用の中央演算装置（ＣＰＵ）であるが、特定の目的に合うように具現されたプログラマブル素子（ＣＰＬＤ、ＦＰＧＡ）や特定用途向け集積回路装置（ＡＳＩＣ）またはマイクロコントローラチップである。
【００６６】
上述した各構成要素は、単なるハードウェアまたはソフトウェアのみにより具現されるか、又は、様々なハードウェアおよびソフトウェアの組み合わせにより具現される。なお、説明を容易にするために各構成要素を区別したが、一つ以上の構成要素が同じハードウェアまたはソフトウェアにより具現されてもよい。
【００６７】
図９を参照すると、本発明の一実施形態による上映館情報の管理装置１００は、通信部１４０を介して複数の上映館（例えば、上映館Ａ、上映館Ｂ、上映館Ｃ）に構築された上映システムと連動され、このような連動により様々な管理動作を行う。
【００６８】
例えば、上映館情報の管理装置１００は、各上映館から構造情報を受信し、受信した情報に基づいて、各上映館の可視領域情報（上映館Ａの可視領域情報、上映館Ｂの可視領域情報、上映館Ｃの可視領域情報など）を生成する。この場合、上映館情報の管理装置１００は、各上映館に設けられた測定装置と連動して、上映館の構造情報を受信するか、又は、各上映館のサーバからデータベース（ＤＢ）化された構造情報を受信する。なお、受信した構造情報を各上映館別にまとめてデータベース（ＤＢ）化し、データベース部１３０に格納して管理する。
【００６９】
また、上映館情報の管理装置１００は、各上映館の可視領域情報を組み合わせて標準可視領域情報を生成し、生成された標準可視領域情報を用いて標準ガイドイメージを生成した後に、標準コンテンツを生成する。次いで、上映館情報の管理装置１００は、生成された標準コンテンツを複数の上映館（上映館Ａ、上映館Ｂ、上映館Ｃなど）に一括して転送し、各上映館において標準コンテンツを上映する。
【００７０】
以上、本発明の実施形態について図面を参照しながら詳細に説明したが、上述した実施形態は単に例示のために開示したものであり、これらによって本発明が限定されることはない。また、本発明が属する技術分野における通常の知識を有する者であれば、本発明の技術的思想の範囲内において様々な修正および変更を加えることができ、このような修正および変更は、本発明の範囲に属するものである。
【符号の説明】
【００７１】
１００    上映館情報の管理装置
１１０    可視領域管理部
１２０    標準ガイドイメージ生成部
１３０    データベース部
１４０    通信部
１５０    制御部
【図１】
0006326138.tif 000002
【図２】
0006326138.tif 000003
【図３】
0006326138.tif 000004
【図４】
0006326138.tif 000005
【図５】
0006326138.tif 000006
【図６】
0006326138.tif 000007
【図７】
0006326138.tif 000008
【図８】
0006326138.tif 000009
【図９】
0006326138.tif 000010